(57)【要約】      （修正有）【課題】コンクリートブロック製品の施工を簡単かつ容易に行うためにコンクリートブロック製品に取付固定されたコンクリート用アンカーを提供する。【解決手段】コンクリート用アンカー１０は、１本の丸鋼鉄筋材（鋼鉄製丸棒材）の折り曲げ加工によって一体形成されており、略Ｕ字状の先頭部１１と、先頭部１１の端部に対して略垂直に接続されて略平行に延びる直線状の支持部１２，１３と、各支持部１２，１３における先頭部１１に接続されている端部とは反対側の端部に対して直角に近い鋭角を成して外方に開くように接続された直線状の係止部１４，１５とを備え、各支持部１２，１３および各係止部１４，１５は同一平面上に配置されると共に対称な形状である。【選択図】図２
0003189713.tif 000002
【実用新案登録請求の範囲】
【請求項１】
１本の鉄筋材により一体形成されたコンクリート用アンカーであって、
所定幅を有して折り曲げられた先頭部と、
前記先頭部の両端部に対して、略垂直にそれぞれ接続されて略平行に延びる支持部と、
前記支持部における前記先頭部に接続されている端部とは反対側の端部に対して、互いに外方に開くようにそれぞれ接続された係止部と
を備えたコンクリート用アンカー。
【請求項２】
前記支持部および前記係止部は、同一平面上に配置されると共に、それぞれが対称な形状である、
請求項１に記載のコンクリート用アンカー。
【請求項３】
前記係止部は前記支持部に対して直角に近い鋭角を成して接続されている、
請求項１または請求項２に記載のコンクリート用アンカー。
【請求項４】
請求項１〜３のいずれか一項に記載のコンクリート用アンカーが取付固定されたコンクリートブロック製品であって、
略平板状の基部と、前記基部の外周縁の隅部分に形成された連結部とを備え、
前記コンクリート用アンカーの前記支持部および前記係止部が前記連結部に埋設され、
前記コンクリート用アンカーの前記先頭部が前記連結部から突出しているコンクリートブロック製品。
【請求項５】
請求項４に記載のコンクリートブロック製品を吊すための吊り構造であって、
前記連結部から突出した前記先頭部をフックとしてワイヤーが取り付けられ、前記基部が水平になるように吊されるコンクリートブロック製品の吊り構造。
【請求項６】
請求項４に記載のコンクリートブロック製品を連結するために、請求項１〜３のいずれか一項に記載のコンクリート用アンカーを連結する連結具であって、
１本の鉄筋材により一体形成され、所定幅を有して折り曲げられた本体部と、
前記本体部の端部を接続するボルトおよびナットと
を備え、
前記本体部は折り曲げ方向に対して直交する方向に湾曲している連結具。
【請求項７】
前記本体部の端部は湾曲して膨らんだ方向とは反対方向に折り返され、その折り返された部分により形成された取付孔を備え、
前記ボルトは前記取付孔に挿通され、前記取付孔から突出した前記ボルトの先端に前記ナットが螺着されて前記本体部に係止される、
請求項６に記載の連結具。
【請求項８】
請求項６または請求項７に記載の連結具を用いた連結構造であって、
請求項４に記載のコンクリートブロック製品が敷き詰められた状態にて、複数個の前記コンクリートブロック製品の前記連結部からそれぞれ上方へ突出した前記コンクリート用アンカーの前記先頭部に対し、前記連結具の前記本体部が上方へ膨らむように湾曲した状態にして、前記本体部を複数個の前記コンクリート用アンカーの前記先頭部に挿通した後に、前記連結具の前記本体部を前記ボルトおよび前記ナットによって接続して前記連結具を環状にすることにより、前記連結具を介して複数個の前記コンクリート用アンカーが連結固定されて、前記コンクリートブロック製品が連結固定される連結構造。
【考案の詳細な説明】
【技術分野】
【０００１】
本考案は、コンクリート用アンカー、コンクリートブロック製品、連結具、連結構造に係り、詳しくは、コンクリート用アンカーと、前記コンクリート用アンカーが取付固定されたコンクリートブロック製品と、前記コンクリートブロック製品を吊すための吊り構造と、前記コンクリート用アンカーを連結する連結具と、前記連結具を用いた連結構造とに関するものである。
【背景技術】
【０００２】
特許文献１には、表面に溝で区切られた台形部分が形成されて自然石風に意匠化された凹凸模様部と該凹凸模様部を支持する基部とを備えるポーラスコンクリート製品が提案されている。
【先行技術文献】
【特許文献】
【０００３】
【特許文献１】特開２０１３−１７６９５５（Ｐ１１１２１Ｘ）
【考案の概要】
【考案が解決しようとする課題】
【０００４】
特許文献１のポーラスコンクリート製品は、略平板状のコンクリートブロック製品として作製され、多数個のコンクリートブロック製品を設置箇所（例えば、河川の岸や川底など）に敷き詰めるように施工される。
また、ポーラスコンクリート製品に限らず、略平板状のコンクリートブロック製品は、設置箇所に敷き詰めるように施工される。
そこで、コンクリートブロック製品の施工を簡単かつ容易に行うことが要求されている。
【０００５】
本考案は前記要求を満足させるためになされたものであって、以下の目的を有するものである。
（１）コンクリートブロック製品の施工を簡単かつ容易に行うためにコンクリートブロック製品に取付固定されたコンクリート用アンカーを提供する。
（２）前記（１）のアンカーが取付固定されたコンクリートブロック製品を提供する。
（３）前記（２）のコンクリートブロック製品を吊すための吊り構造を提供する。
（４）前記（２）のコンクリートブロック製品を連結するために、前記（１）のアンカーを連結する連結具を提供する。
（５）前記（４）の連結具を用い、前記（２）のコンクリートブロック製品を連結する連結構造を提供する。
【課題を解決するための手段】
【０００６】
本考案者は前記課題を解決するために鋭意検討を重ねた結果、下記のように本考案の各局面に想到した。
【０００７】
＜第１の局面＞
第１の局面は、
１本の鉄筋材により一体形成されたコンクリート用アンカーであって、
所定幅を有して折り曲げられた先頭部と、
前記先頭部の両端部に対して、略垂直にそれぞれ接続されて略平行に延びる支持部と、
前記支持部における前記先頭部に接続されている端部とは反対側の端部に対して、互いに外方に開くようにそれぞれ接続された係止部とを備える。
【０００８】
第１の局面では、支持部および係止部をコンクリートブロック製品に埋設し、先頭部をコンクリートブロック製品から突出させた状態で、先頭部をフックとしてワイヤーを取り付ければ、コンクリートブロック製品を容易に搬送可能になる。
ここで、係止部は支持部の端部に対して互いに外方に開くように接続されているため、コンクリートブロック製品に埋設された係止部が碇と同様に機能し、コンクリートブロック製品の内部で係止部が確実に係止固定されるため、先頭部に外力が印加された際に、コンクリートブロック製品からコンクリート用アンカーが引き抜けて脱落するのを防止できる。
よって、第１の局面によれば、コンクリートブロック製品の施工を簡単かつ容易に行うためにコンクリートブロック製品に取付固定されたコンクリート用アンカーを提供できる。
【０００９】
＜第２の局面＞
第２の局面は、第１の局面において、前記支持部および前記係止部は、同一平面上に配置されると共に、それぞれが対称な形状である。
第２の局面では、コンクリート用アンカーを単純な折り曲げ加工により簡単かつ容易に製造することが可能であり、コンクリート用アンカーを低コストに提供できる。
【００１０】
＜第３の局面＞
第３の局面は、第１の局面または第２の局面において、前記係止部は前記支持部に対して直角に近い鋭角を成して接続されている。
第３の局面では、コンクリートブロック製品の内部で係止部が更に確実に係止固定されるため、第１の局面の前記した碇と同様の機能をより高めることができる。
【００１１】
＜第４の局面＞
第４の局面は、第１〜第３の局面のコンクリート用アンカーが取付固定されたコンクリートブロック製品であって、略平板状の基部と、前記基部の外周縁の隅部分に形成された連結部とを備え、前記コンクリート用アンカーの前記支持部および前記係止部が前記連結部に埋設され、前記コンクリート用アンカーの前記先頭部が前記連結部から突出している。
第４の局面では、第１〜第３の局面のコンクリート用アンカーが取付固定されたコンクリートブロック製品を提供できる。
【００１２】
＜第５の局面＞
第５の局面は、第４の局面のコンクリートブロック製品を吊すための吊り構造であって、前記連結部から突出した前記先頭部をフックとしてワイヤーが取り付けられ、前記基部が水平になるように吊される。
第５の局面では、コンクリート用アンカーの先頭部をコンクリートブロック製品の連結部から上方へ突出させることにより、第４の局面のコンクリートブロック製品を安定した状態で確実に吊すことが可能な吊り構造を提供できる。
そして、第５の局面によれば、コンクリートブロック製品を容易に搬送可能であるため、コンクリートブロック製品の施工も簡単かつ容易に行うことができる。
【００１３】
＜第６の局面＞
第６の局面は、第４の局面のコンクリートブロック製品を連結するために、第１〜第３の局面のコンクリート用アンカーを連結する連結具であって、
１本の鉄筋材により一体形成され、所定幅を有して折り曲げられた本体部と、
前記本体部の端部を接続するボルトおよびナットとを備え、
前記本体部は折り曲げ方向に対して直交する方向に湾曲している。
【００１４】
第６の局面では、第４の局面のコンクリートブロック製品を連結するために、第１〜第３の局面のコンクリート用アンカーを連結する連結具を提供できる。
また、第６の局面では、本体部を単純な折り曲げ加工により簡単かつ容易に製造することが可能であり、一般市販品のボルトおよびナットを使用可能であるため、連結具を低コストに提供できる。
【００１５】
＜第７の局面＞
第７の局面は、第６の局面において、
前記本体部の端部は湾曲して膨らんだ方向とは反対方向に折り返され、その折り返された部分により形成された取付孔を備え、
前記ボルトは前記取付孔に挿通され、前記取付孔から突出した前記ボルトの先端に前記ナットが螺着されて前記本体部に係止される。
【００１６】
第７の局面では、ボルトおよびナットを本体部の端部に簡単かつ確実に接続することができる。
また、第７の局面では、取付孔を本体部の単純な折り曲げ加工により簡単かつ容易に製造することが可能であり、連結具を低コストに提供できる。
【００１７】
＜第８の局面＞
第８の局面は、第６の局面または第７の局面の連結具を用いた連結構造であって、
第４の局面のコンクリートブロック製品が敷き詰められた状態にて、複数個の前記コンクリートブロック製品の前記連結部からそれぞれ上方へ突出した前記コンクリート用アンカーの前記先頭部に対し、前記連結具の前記本体部が上方へ膨らむように湾曲した状態にして、前記本体部を複数個の前記コンクリート用アンカーの前記先頭部に挿通した後に、前記連結具の前記本体部を前記ボルトおよび前記ナットによって接続して前記連結具を環状にすることにより、前記連結具を介して複数個の前記コンクリート用アンカーが連結固定されて、前記コンクリートブロック製品が連結固定される。
【００１８】
第８の局面では、コンクリートブロック製品の連結部から上方へ突出したコンクリート用アンカーの先頭部に対して、連結具の本体部が上方へ膨らむように湾曲した状態にすれば、複数個の先頭部に対して本体部を簡単かつ容易に挿通することができる。
また、連結具の本体部が上方へ膨らむように湾曲した状態にすれば、ボルトおよびナットを本体部の端部に簡単かつ容易に接続することができる。
よって、第８の局面によれば、多数個のコンクリートブロック製品を設置箇所に敷き詰めた状態で連結固定することが可能であり、コンクリートブロック製品の施工を簡単かつ容易に行うことができる。
【図面の簡単な説明】
【００１９】
【図１】図１（Ａ）は、本考案を具体化した一実施形態のコンクリート用アンカー１０の側面図。図１（Ｂ）はアンカー１０の上面図。図１（Ｃ）はアンカー１０の正面図。
【図２】図２（Ａ）は、本考案を具体化した一実施形態のコンクリートブロック製品２０の平面図。図２（Ｂ）はコンクリートブロック製品２０の側面図。
【図３】コンクリートブロック製品２０を吊した状態を示すイメージ図。
【図４】図４（Ａ）は、本考案を具体化した一実施形態の連結具３０の側面図。図３（４）は連結具３０の上面図。
【図５】図５（Ａ）は、コンクリートブロック製品２０を連結した状態を示す要部平面図であり、図５（Ｂ）に示す部分αの拡大図。図５（Ｂ）は、４個のコンクリートブロック製品２０を連結した状態を示す平面図。
【考案を実施するための形態】
【００２０】
図１（Ａ）は本実施形態のコンクリート用アンカー１０の側面図であり、図１（Ｂ）はアンカー１０の上面図であり、図１（Ｃ）はアンカー１０の正面図である。
アンカー１０は、１本の丸鋼鉄筋材（鋼鉄製丸棒材）の折り曲げ加工によって一体形成されており、略Ｕ字状の先頭部１１と、先頭部１１の端部に対して略垂直に接続されて略平行に延びる直線状の支持部１２，１３と、各支持部１２，１３における先頭部１１に接続されている端部とは反対側の端部に対して直角に近い鋭角を成して互いに外方に開くように接続された直線状の係止部１４，１５とを備え、各支持部１２，１３および各係止部１４，１５は同一平面上に配置されると共に対称な形状である。
尚、先頭部１１の高さは約６０mm、支持部１２，１３の長さは約１７０mm、支持部１２，１３の間隔は約４０mm、係止部１４，１５の長さは約６０mm、アンカー１０を形成する丸鋼鉄筋材の直径は９mmである。
【００２１】
図２は本実施形態のコンクリートブロック製品２０の平面図であり、図２（Ｂ）はコンクリートブロック製品２０の側面図である。
尚、コンクリートブロック製品２０は、特許文献１のポーラスコンクリート製品として作製することが考えられるが、ポーラスコンクリート製品に限らず、どのような製法のコンクリート製品であってもよい。
【００２２】
コンクリートブロック製品２０は、表面に溝で区切られた台形部分２３が形成されて自然石風に意匠化された凹凸模様部２１と、凹凸模様部２１を支持する基部２２とを備え、全体形状が略平板状である。
基部２２は平面視略正方形の平板状であり、外周縁の四隅部分には各辺に対して斜め４５゜に面取りされた略平面状の連結部２４が形成されている。
尚、凹凸模様部２１の高さは約１４０mm、基部２２の一辺の長さは約１０００mm、基部２２の高さは約１００mmである。
【００２３】
コンクリートブロック製品２０における４箇所（四隅）の連結部２４にはそれぞれ、アンカー１０の支持部１２，１３および係止部１４，１５が基部２２の底面と略平行に配置されるように埋設され、アンカー１０の先頭部１１の全部および支持部１２，１３の一部のみが連結部２４から露出され、先頭部１１は上方（コンクリートブロック製品２０の基部２２から凹凸模様部２１へ向かう方向）へ突出している。
【００２４】
図３に示すように、コンクリートブロック製品２０を吊して搬送する際には、コンクリートブロック製品２０の４箇所（四隅）の連結部２４から突出しているアンカー１０の先頭部１１にワイヤーWAのフック（図示略）を引っ掛け、コンクリートブロック製品２０の基部２２が水平になるように４本のワイヤーWAの長さを調整して吊す。
【００２５】
図４（Ａ）は本実施形態の連結具３０の側面図であり、図４（Ｂ）は連結具３０の上面図である。
連結具３０は、六角ボルト３１およびナット３２と本体部３３とを備え、全体形状が閉じられた環状である。
略Ｕ字状の本体部３３は、１本の丸鋼鉄筋材の折り曲げ加工によって一体形成されており、略Ｕ字状の折り曲げ方向に対して直交する方向に湾曲している。
本体部３３の端部は湾曲して膨らんだ方向とは反対方向に折り返され、その折り返された部分により、断面略紡錘形状の取付孔３４，３５が形成されている。
【００２６】
取付孔３４，３５にはボルト３１が挿通され、取付孔３４から突出したボルト３１の先端にはナット３２が螺着されて本体部３３に係止され、本体部３３の端部はボルト３１およびナット３２によって接続固定されている。
尚、本体部３３の長さは約１７０mm、取付孔３４，３５の間隔は約５０mm、本体部３３を形成する丸鋼鉄筋材の直径は９mm、六角ボルト３１の規格はＭ１０である。
ところで、図４（Ａ）では、ボルト３１およびナット３２の図示を省略してある。
【００２７】
図５（Ａ）は、コンクリートブロック製品２０を連結した状態を示す要部平面図（図５（Ｂ）に示す部分αの拡大図）である。図５（Ｂ）は、４個のコンクリートブロック製品２０を連結した状態を示す平面図である。
４個のコンクリートブロック製品２０を井桁状に敷き詰めると、各コンクリートブロック製品２０の間には、各連結部２４に囲繞された断面正方形の角筒状の空間Ｓが形成され、各連結部２４から露出されたアンカー１０の先頭部１１の全部および支持部１２，１３の一部が空間Ｓ内に露出し、先頭部１１は上方へ突出した状態になる。
【００２８】
そこで、連結具３０の本体部３３が上方へ膨らむように湾曲した状態（図４に示すのと上下反対の状態）にして、その本体部３３を４個のアンカー１０の先頭部１１に挿通した後に、連結具３０の本体部３３をボルト３１およびナット３２により接続固定して連結具３０を環状にすることにより、連結具３０を介して４個のアンカー１０が連結固定され、その結果、４個のコンクリートブロック製品２０が井桁状に敷き詰められた状態（各コンクリートブロック製品２０の基部２２の底面が同一平面上に配置された状態）で連結固定される。
【００２９】
そして、多数個のコンクリートブロック製品２０を敷き詰め、図５（Ｂ）に示す部分αと同様に、各コンクリートブロック製品２０から突出したアンカー１０の先頭部１１をそれぞれ連結具３０を用いて連結固定することにより、敷き詰めた全てのコンクリートブロック製品２０を連結固定することができる。
【００３０】
［本実施形態の作用・効果］
本実施形態によれば、以下の作用・効果を得ることができる。
【００３１】
［１］図１〜図４に示すように、コンクリート用アンカー１０では、支持部１２，１３および係止部１４，１５をコンクリートブロック製品２０に埋設し、先頭部１１をコンクリートブロック製品２０から突出させた状態で、先頭部１１をフックとしてワイヤーWAを取り付ければ、コンクリートブロック製品２０を容易に搬送可能になる。
【００３２】
ここで、係止部１４，１５は支持部１２，１３の端部に対して互いに外方に開くように接続されているため、コンクリートブロック製品２０に埋設された係止部１４，１５が碇と同様に機能し、コンクリートブロック製品２０の内部で係止部１４，１５が確実に係止固定されるため、先頭部１１に外力が印加された際に、コンクリートブロック製品２０からコンクリート用アンカー１０が引き抜けて脱落するのを防止できる。
よって、本実施形態によれば、コンクリートブロック製品２０の施工を簡単かつ容易に行うためにコンクリートブロック製品２０に取付固定されたコンクリート用アンカー１０を提供できる。
【００３３】
［２］図１に示すように、コンクリート用アンカー１０では、支持部１２，１３および係止部１４，１５が同一平面上に配置されると共に対称な形状である。
そのため、コンクリート用アンカー１０を単純な折り曲げ加工により簡単かつ容易に製造することが可能であり、コンクリート用アンカー１０を低コストに提供できる。
【００３４】
［３］図１に示すように、コンクリート用アンカー１０では、係止部１４，１５が支持部１２，１３に対して直角に近い鋭角を成して接続されている。
そのため、コンクリートブロック製品２０の内部で係止部１４，１５が更に確実に係止固定されるため、前記［１］の碇と同様の機能をより高めることができる。
【００３５】
［４］図３に示すように、コンクリート用アンカー１０の先頭部１１をコンクリートブロック製品２０の連結部２４から上方へ突出させることにより、コンクリートブロック製品２０を安定した状態で確実に吊すことが可能な吊り構造を提供できる。
そして、図３に示すようにコンクリートブロック製品２０を吊せば、コンクリートブロック製品２０を容易に搬送可能であるため、コンクリートブロック製品２０の施工も簡単かつ容易に行うことができる。
【００３６】
［５］図４に示すように、連結具３０では、本体部３３を単純な折り曲げ加工により簡単かつ容易に製造することが可能であり、一般市販品のボルト３１およびナット３２を使用可能であるため、連結具３０を低コストに提供できる。
【００３７】
［６］図４に示すように、連結具３０では、本体部３３の端部が湾曲して膨らんだ方向とは反対方向に折り返され、その折り返された部分により形成された取付孔３４，３５を備え、ボルト３１は取付孔３４，３５に挿通され、取付孔３４，３５から突出したボルト３１の先端にナット３２が螺着されて本体部３３に係止される。
そのため、ボルト３１およびナット３２を本体部３３の端部に簡単かつ確実に接続することができる。
また、取付孔３４，３５を本体部３３の単純な折り曲げ加工により簡単かつ容易に製造することが可能であり、連結具３０を低コストに提供できる。
【００３８】
［７］図５に示すように、コンクリートブロック製品２０の連結部２４から上方へ突出したコンクリート用アンカー１０の先頭部１１に対して、連結具３０の本体部３３が上方へ膨らむように湾曲した状態（図４に示すのと上下反対の状態）にすれば、４個の先頭部１１に対して本体部３３を簡単かつ容易に挿通することができる。
また、連結具３０の本体部３３が上方へ膨らむように湾曲した状態にすれば、ボルト３１およびナット３２を本体部３３の端部に簡単かつ容易に接続することができる。
よって、多数個のコンクリートブロック製品２０を設置箇所（例えば、河川の岸や川底など）に敷き詰めた状態で連結固定することが可能であり、コンクリートブロック製品２０の施工を簡単かつ容易に行うことができる。
【００３９】
＜別の実施形態＞
本考案は前記実施形態に限定されるものではなく、以下のように具体化してもよく、その場合でも、前記実施形態と同等もしくはそれ以上の作用・効果を得ることができる。
【００４０】
［Ａ］前記実施形態では、アンカー１０の先頭部１１および連結具３０の本体部３３が略Ｕ字状に折り曲げられているが、所定幅を有して折り曲げられているならば、どのような形状（例えば、略コ字状など）にしてもよい。
【００４１】
［Ｂ］前記実施形態では、アンカー１０の支持部１２，１３および係止部１４，１５が直線状であるが、湾曲状や屈曲状にしてもよい。
【００４２】
［Ｃ］前記実施形態では、コンクリートブロック製品２０の基部２２が平面視正方形状であるが、平面視同一寸法形状のコンクリートブロック製品２０を敷き詰めることが可能であれば、どのような平面視形状（例えば、長方形状、三角形状、５角形以上の正多角形状、ジグソーパズル状など）にしてもよい。
【００４３】
本考案は、前記各局面および前記実施形態の説明に何ら限定されるものではない。特許請求の範囲の記載を逸脱せず、当業者が容易に想到できる範囲で種々の変形態様も本考案に含まれる。本明細書の中で明示した公報などの内容は、その全ての内容を援用によって引用することとする。
【符号の説明】
【００４４】
１０…コンクリート用アンカー
１１…先頭部
１２，１３…支持部
１４，１５…係止部
２０…コンクリートブロック製品
２２…基部
２４…連結部
３０…連結具
３１…六角ボルト
３２…ナット
３３…本体部
３４，３５…取付孔
WA…ワイヤー
【図１】
0003189713.tif 000003
【図２】
0003189713.tif 000004
【図３】
0003189713.tif 000005
【図４】
0003189713.tif 000006
【図５】
0003189713.tif 000007